(57)【特許請求の範囲】
【請求項１】
紐状線材と、装置本体とを有し、
前記装置本体は、前記紐状線材を巻装して回動自在に枢支した巻回手段と、当該巻回手段を前記紐状線材の巻取方向に回転付勢する回転付勢手段とを備え、
前記紐状線材を支持体に取り付けるとともに、前記装置本体を被装着体に取り付けることにより、前記紐状線材を介して、前記被装着体に張力を付与するための張力付与装置において、
前記紐状部材の先端に、前記支持体に掛止するための位置決め部材を有し、
前記位置決め部材は、長片状の板状材から形成されており、仮位置決め孔と掛止孔とを有するとともに、
前記仮位置決め孔は、前記位置決め部材の先端部に、
前記掛止孔は、前記位置決め部材の基端部に、それぞれ穿設されており、
前記仮位置決め孔は、前記張力の付与方向を長軸とする鍵状孔であることを特徴とする張力付与装置。
【発明の詳細な説明】
【技術分野】
【０００１】
本発明は、ワイヤ等の紐状線材を介して壁体等の支持体に取り付け、その装置本体を引戸や扉等の被装着体に取り付けることにより、紐状線材を介して、被装着体に張力を付与するための張力付与装置に関する。
【背景技術】
【０００２】
病院などの各種施設において、開放した上吊引戸を、閉じる方向（以下、「閉方向」という。）へ自動的に移動させて閉止する引戸自閉装置が使用されている。この引戸自閉装置は紐状線材を備える張力付与装置を用いて、上吊引戸に対して、紐状線材を介して閉方向の張力を作用させることにより動作させる装置である。
【０００３】
この種の張力付与装置として、ゼンマイユニットが代表的に用いられている。図６に示すように、従来のゼンマイユニットＵ’は、枢軸に回動自在に軸支されている、ワイヤ４０’（紐状線材）を巻装したワイヤリール２１’と、当該ワイヤリール２１’に回転力を付与する渦巻ばね２３’（ゼンマイ）と、当該ワイヤリール２１’の回転を減速して制動力を与えるロータリダンパ２４’と、を備えている。
【０００４】
このゼンマイユニットＵ’は、上吊引戸に取り付けるとともに、ワイヤ４０’の先端の環状端子４１’を戸袋壁の戸枠等の支持体に掛止させている（上吊引戸及び戸枠は図示せず）。この構造により、上吊引戸を開方向へ移動させると、渦巻ばね２３’に抗してワイヤが引き出されて上吊引戸が移動して開き、その状態から上吊引戸から手を離すと、渦巻ばね２３’の弾性復元力でワイヤ４０’を巻き取り、その巻き取り張力で上吊引戸を引っ張り、閉方向へ摺動させて自閉することができるようになっている（特許文献１参照）。
【特許文献１】特開２０００−１３０００４号公報
【発明の概要】
【発明が解決しようとする課題】
【０００５】
ところで、従来、上記ゼンマイユニットＵ’のワイヤ４０’を支持体に掛止する場合には、当該ワイヤ４０’の環状端子４１’を支持体の所望の位置に位置決めし、当該環状端子４１’の部分をネジ止めする方法で行っていた。
しかし、通常、ワイヤ４０’の取付け位置は、支持体と上吊引戸の間に形成される隙間であることから、取り付け作業が行い難く、さらに、紐状の柔らかいタイプのワイヤ４０’を使用した場合には、作業中に、先端部が重力により下方に垂れ下がるなど、作業効率が悪いという問題点を有していた。
【０００６】
本発明は、上記問題点を解決するためになされたものであり、簡易に支持体に取り付けることが可能となる紐状線材を備える張力付与装置を提供することを目的としている。
【課題を解決するための手段】
【０００７】
本発明の張力付与装置（以下、「本張力付与装置」という。）は、紐状線材と、装置本体とを有し、上記装置本体は、上記紐状線材を巻装して回動自在に枢支した巻回手段と、当該巻回手段を上記紐状線材の巻取方向に回転付勢する回転付勢手段とを備え、上記紐状線材を支持体に取り付けるとともに、上記装置本体を被装着体に取り付けることにより、上記紐状線材を介して、上記被装着体に張力を付与するための張力付与装置において、上記紐状線材の先端に、上記支持体に掛止するための位置決め部材を有し、上記位置決め部材は、仮位置決め孔と掛止孔とを有することを特徴としている。
【０００８】
ここで、本張力付与装置を取り付ける被装着体とは、装置本体を取り付けて、当該装置本体の側に張力を作用させるための構造体である。また、支持体とは、紐状線材を取り付けることにより、被装着体と連結し、装置本体の側からの反力を受ける構造体である。
【０００９】
また、上記紐状線材は、巻き取り可能であり、付与される張力を伝達可能な強度を有する材質で形成されていればよく、ワイヤ、ベルト、ロープ、チェーン等を用いることができる。
また、上記回転付勢手段は、紐状線材を巻き取る方向に回転力を付与する手段であり、弾性復元力を付与する渦巻バネの他、動力等を用いて当該回転力を付与する手段等を用いることができる。
【００１０】
なお、本張力付与装置において、付与される張力の伝達を良好に調整するための各種機構や、紐状線材の緩みを是正する機構等を有していてもよい。
【００１１】
さらに、一般的には、上記位置決め部材の材質及び寸法は適宜に定めることができる。ところで、本張力付与装置を引戸等の被装着体に使用する場合には、引戸を戸枠等の幅狭部材に沿って移動させることになる。その際、引戸に取り付けられた本張力付与装置の紐状線材を戸枠等の支持体に取り付けるためには、先端部が下方に垂れ下がらない程度のしなり特性を有する強度である長片状の板状材から形成すれば、その作業を容易に行うことができるため好適である。
【００１２】
さらに、本張力付与装置における上記位置決め部材の仮位置決め孔と掛止孔の位置及び寸法は適宜に定めることができるが、上記仮位置決め孔は、位置決め部材の先端部に、上記掛止孔は、位置決め部材の基端部に、それぞれ穿設され、上記仮位置決め孔は、上記張力の付与方向を長軸とする鍵状孔とすれば、位置決めをする際の作業性を高めることができるため好適である。
【００１３】
本張力付与装置によれば、位置決め部材の仮位置決め孔を、支持体に予め設けられている仮止部（仮掛止孔と掛止部材の組合せ又は仮掛止片等）に掛止し、その後、所望の方法により、掛止孔を利用して、支持体に固定することが可能となる。したがって、紐状線材を直接に支持体を固定する際に生じる先端部の下方への垂れ下がりを気にすることなく、狭隘な作業空間での作業効率の低下を効果的に解消することができる。
【発明の効果】
【００１４】
本発明によれば、簡易に支持体に取り付けることが可能となる紐状線材を備える張力付与装置を提供することができる。
【図面の簡単な説明】
【００１５】
【図１】本発明のゼンマイユニット（張力付与装置）を取り付けた上吊引戸と、当該上吊引戸を戸袋壁に設置した状態を示す正面図である。
【図２】本発明のゼンマイユニットを取り付けた上吊引戸を示す一部切欠きの斜視図である。
【図３】本発明のゼンマイユニットの斜視図である。
【図４】本発明のゼンマイユニットを上吊引戸に取り付ける方法を示す説明図である。
【図５】（ａ）から（ｄ）は、本発明のゼンマイユニットを上吊引戸に取り付ける方法を模式的に示す説明図（位置決めプレートのみを図示したもの）である。
【図６】従来のゼンマイユニットを示す正面図である。
【発明を実施するための形態】
【００１６】
以下、図面を参照しつつ、本張力付与装置として、渦巻ばねを用いたゼンマイユニット（以下、「本ゼンマイユニット」という。）を例として、その一実施形態について詳細に説明する。なお、図面の説明においては、同一要素には同一符号を付し、重複する説明を省略する。また、説明に際して、向きを記載する場合には、図１を基準とする。
【００１７】
［上吊引戸］
本実施形態では、本ゼンマイユニットＵを取り付けた上吊引戸Ｈ（被装着体）を、戸袋壁Ｗの戸枠５（支持体）に支持させる場合を例とする。
図１及び図２に示すように、上吊引戸Ｈは、各種の施設（例えば、病室の出入口等）に設置するものであり、開口部を有する戸袋壁Ｗに設けられている。
【００１８】
戸袋壁Ｗの矩形形状の開口部の周縁には、左右に立設している縦枠５ａ（右側の縦枠図示せず）と、左右の縦枠５ａの間に横設されている上枠５ｂから構成される戸枠５が取り付けられている。この上枠５ｂには、開放側を下向きにしたリップ溝型鋼（断面Ｃ字状構造）の上吊用レールＬがボルト（図示せず）により延設されている。
【００１９】
この上吊用レールＬには、開口部を引戸本体１０で閉塞した際に、後記ゼンマイユニット収容部１０ａから所定距離離間した位置に、上側ワイヤ掛止孔Ｌ２が穿設されている。また、上吊用レールＬにおける上側ワイヤ掛止孔Ｌ２から、左側縦枠５ａの向きに所定距離（位置決めプレート３０の仮位置決め孔３２の先端とワイヤ掛止孔３３の距離に相当）離間した位置には、ワイヤ仮掛止孔Ｌ１が穿設されている（図４参照）。
そして、ワイヤ仮掛止孔Ｌ１には、位置決めプレート３０（位置決め部材）を掛止するために、予め頭部を突出させた状態で、仮止めネジ３８が挿入されている。
【００２０】
上吊引戸Ｈは、引戸本体１０と、左右の上面端部に付設されている戸車ユニット１５（左右の戸車ユニット及びその構成要素を区別する場合には、Ａ，Ｂの符号を付す）と、を主要構成要素としている。
引戸本体１０は、木製であり、横長な矩形板状となっており、左端には、開閉の便宜のためにバーハンドル１１が付設されている。また、引戸本体１０には、右側戸車ユニット１５Ｂの取り付け部に隣接して、中空の箱型形状であるゼンマイユニット収容部１０ａが設けられている。
【００２１】
左右の戸車ユニット１５Ａ、１５Ｂは、支持基体１６Ａ，１６Ｂと、当該支持基体１６Ａ，１６Ｂの上部に取り付けられている戸車支持枠１７Ａ，１７Ｂと、複数個の戸車１８Ａ，１８Ｂと、を備えており、支持基体１６Ａ，１６Ｂが引戸本体１０の左右の上縁端部に螺設されている。戸車支持枠１７は、開放側を上向きにした溝型形状であり、その左右の端部が上吊用レールＬのリップ部に載置されている。戸車１８は、中心軸が引戸本体１０の幅方向となるように、戸車支持枠１７に回動自在に軸支されており、その長手方向に並設されている（右側の戸車ユニット１５Ｂでは３個の戸車１８Ｂ、左側の戸車ユニット１５Ａでは２個の戸車１８Ａを有している）。各戸車１８は、上吊用レールＬの水平部に沿って滑動可能であり、引戸本体１０が上吊用レールＬに沿って、水平方向にスライド自在となっている。
【００２２】
なお、上吊用レールＬの左側端部には、上吊引戸Ｈが閉まる場合において、戸車１８Ａを減速して制動力を与えるために、ダンパを主要構成要素とするブレーキ機構１３が設けられている。
【００２３】
［本ゼンマイユニット］
図３に示すように、本ゼンマイユニットＵは、装置本体２０と位置決めプレート３０と、ワイヤ４０（紐状線材）と、を有している。装置本体２０は、ワイヤ４０を巻装して回動自在に枢支したワイヤリール２１（巻回手段）と、ワイヤ４０の巻取方向回りにワイヤリール２１に対して回転力を付与する渦巻ばね２３（回転付勢手段）と、ワイヤリール２１の回転を減速して制動力を与えるロータリダンパ２４と、を備えている。
【００２４】
ワイヤ４０とワイヤリール２１の間には、プーリ２２が介装されており、当該ワイヤリール２１の一端をプーリ２２に、他端を渦巻ばね２３の枢軸に掛け止めることにより、ワイヤ４０の巻取方向に作用する弾性復元力（回転付勢力）が常時付与され、当該ワイヤ４０を巻き取り可能となるように構成されている。また、ワイヤリール２１の枢軸の一端には、駆動回転ギヤ２５が連結されている。
これらの各構成要素は、収納ケース４５に収容されている。
【００２５】
ワイヤ４０の先端には、細長形状に形成されたプラスチック薄板（長片状の板状材）である位置決めプレート３０が延設されている。この位置決めプレート３０は、上吊用レールＬの幅より、少し幅狭の寸法に形成されている。そして、先端部には、鍵状（先端部の長孔３２ａと、当該長孔３２ａの幅よりも直径が長い丸孔３２ｂを組合せた孔）である仮位置決め孔３２（鍵孔）が穿設されている。また、基端部には、上吊用レールＬを介して、掛止ネジ３９により上枠５ｂ（戸袋壁Ｗ、以下同様）に取り付けるためのワイヤ掛止孔３３（丸孔）が穿設されている。このワイヤ掛止孔３３には、リング部材３１が嵌装されている。
【００２６】
なお、仮位置決め孔３２の丸孔３２ｂの直径は、仮止めネジ３８の頭部の直径よりもやや長く形成されており、掛け止めし易く形成されている。また、仮位置決め孔３２の長孔３２ａの幅は、仮止めネジ３８の胴部の直径よりもやや長く形成されており、長穴の長手方向に沿ってスライドし易く形成されている。
【００２７】
本ゼンマイユニットＵの装置本体２０は、引戸本体１０のゼンマイユニット収容部１０ａに内装され、当該引戸本体１０の上縁部に、フック状の断面形状のブラケット４８を介して螺設されている。そして、後記の取り付け方法により、上吊用レールＬのワイヤ仮掛止孔Ｌ１及び上側ワイヤ掛止孔Ｌ２と、位置決めプレート３０の仮位置決め孔３２の長孔３２ａの先端及びワイヤ掛止孔３３との位置を一致させた状態で、仮止ネジ３８及び掛止ネジ３９で取り付けられている。
【００２８】
このような構成により、上吊引戸Ｈは、バーハンドル１１を把持して、開方向（図１右側）へスライドさせると、渦巻ばね２３に抗してワイヤ４０が引き出され、摺動しながら開くようになっている。そして、バーハンドル１１から手を離すと、渦巻ばね２３の弾性復元力でワイヤリール２１にワイヤ４０が巻き取られ、当該ワイヤ４０に張力が作用することにより上吊引戸Ｈが引き戻され、上吊用レールＬに沿って閉方向（図１左側）へ自動的に摺動して、開口した入口部を閉止することができるようになっている。
【００２９】
［本ゼンマイユニットの取付方法］
本ゼンマイユニットＵは、ワイヤ４０を上吊用レールＬの上側ワイヤ掛止孔Ｌ２と、位置決めプレート３０のワイヤ掛止孔３３を合致させ、掛止ネジ３９により、上枠５ｂに取り付けられている。以下、その取付方法について、説明する。
【００３０】
（１）ワイヤの引き出し
まず、本ゼンマイユニットＵが取り付けられた引戸本体１０を、上吊用レールＬの下方に立設させる。そして、上吊用レールＬのワイヤ仮掛止孔Ｌ１の近傍に至るまで、本ゼンマイユニットＵのワイヤリール２１からワイヤ４０を引き出す（図４）（なお、説明の便宜上、図５では、引戸本体１０，上吊用レールＬ等を省略して記載している）。
【００３１】
（２）位置決めプレートの仮止め
続いて、上吊用レールＬのワイヤ仮掛止孔Ｌ１に、予め頭部のみが挿入されている仮止めネジ３８と、位置決めプレート３０の仮位置決め孔３２の丸孔３２ｂを合致させ、当該位置決めプレート３０を仮り止めする（図５（ａ））。
【００３２】
（３）位置決めプレートの取り付け
次に、位置決めプレート３０を本ゼンマイユニットＵの装置本体２０の方向に引き寄せ（図５（ｂ））、仮位置決め孔３２の長孔３２ａの先端部が仮止ネジ３８に当接する位置にまで移動させる。仮位置決め孔３２の長孔３２ａの先端からワイヤ掛止孔３３の中心の長さと、上吊用レールＬのワイヤ仮掛止孔Ｌ１の中心から上側ワイヤ係止孔Ｌ２の中心の長さは等しく定められているため、位置決めプレート３０のワイヤ掛止孔３３と、上側ワイヤ掛止孔Ｌ２の位置が合致することになる。そこで、位置決めプレート３０のワイヤ掛止孔３３と、上側ワイヤ掛止孔Ｌ２に掛止ネジ３９を挿入して、位置決めプレート３０を固定する（図５（ｃ））。
【００３３】
（４）上吊引戸の取り付け
最後に、仮止ネジ３８により位置決めプレート３０を固定するとともに、上吊引戸Ｈを開口部に取り付けて、作業が終了する（図５（ｄ））。
【００３４】
［本ゼンマイユニットの効果］
本ゼンマイユニットＵによれば、位置決めプレート３０の仮位置決め孔３２を、上吊用レールＬに予め設けられている仮止ネジ３８により仮り止めし、当該位置決めプレート３０に張力を付与してスライドさせることにより、容易に、上側ワイヤ掛止孔Ｌ２とワイヤ掛止孔３３の位置を合致させ、掛止ネジ３９を用いてネジ止めをすることができる。
【００３５】
したがって、ワイヤ４０を、直接に上吊用レールＬを固定する際に生じる先端部の下方への垂れ下がりによる作業効率の低下を、効果的に防止することができる。また、狭隘な上吊用レールＬと引戸本体１０との間の空間において、ワイヤ４０の取り付け作業を容易に行うことが可能となる。
【００３６】
以上、本発明について、好適な実施形態についての一例を説明したが、本発明は当該実施形態に限られず、本発明の趣旨を逸脱しない範囲で適宜設計変更が可能である。
【００３７】
特に、本ゼンマイユニットの被装着体である上吊引戸は、樹脂製、金属製などの材質、扉厚等を問うものでなく、また、窓付きなど特殊構造のものであってもよい。
また、本張力付与装置を取り付ける被装着体と支持体は、各構造体の構成により、任意に定めることができる。本ゼンマイユニットを用いる場合においても、戸枠に装置本体を取り付け、上吊引戸にワイヤ取り付ける構成にするものであってもよい（この場合には、戸枠が被装着体となり、上吊引戸は支持体となる）。
【００３８】
また、位置決めプレートについても、材質や形状等を問うものでなく、合成樹脂製や金属製の薄板等を用いることができ、仮位置決め孔及びワイヤ掛止孔に関しても、作業性を考慮した形態とすることができる。
【００３９】
さらに、本ゼンマイユニットの上吊引戸への取り付け方法には特に定めはなく、ボルト等を用いることや、上吊用レールに予め位置決め用及び固定用の掛止片を形成し、当該各掛止片に、位置決めプレートの仮位置決め孔及びワイヤ掛止孔を掛止することにより、その位置決め及び取り付けを行うものでもよい。
【符号の説明】
【００４０】
Ｗ      戸袋壁（支持体）
Ｌ      上吊用レール
Ｌ１    ワイヤ仮掛止孔
Ｌ２    上側ワイヤ掛止孔
５      戸枠
Ｈ      上吊引戸（被装着体）
１０    引戸本体
Ｕ      ゼンマイユニット（張力付与装置）
２０    装置本体
２１    ワイヤリール（巻回手段）
２３    渦巻ばね（回転付勢手段）
３０    位置決めプレート（位置決め部材）
３２    仮位置決め孔
３２ａ  長孔
３２ｂ  丸孔
３３    ワイヤ掛止孔
４０    ワイヤ（紐状線材）
【図１】
0006485864.tif 000002
【図２】
0006485864.tif 000003
【図３】
0006485864.tif 000004
【図４】
0006485864.tif 000005
【図５】
0006485864.tif 000006
【図６】
0006485864.tif 000007